(57)【要約】      （修正有）【課題】宣伝広告などの表示部を可能な限り平面状に設けることが出来るようなスタンド型表示体を提供する。【解決手段】折り込み部２２によって膨らますことが可能な前壁部１と背壁部２とから成り、この前記折り込み部が少なくとも上方部２０には設けられていないものである。前記上方部では前壁部は膨らむ度合が少なく略平面状を呈する。【選択図】      図１
2004354955.tif 000002
【特許請求の範囲】
【請求項１】
両側部で繋げられた前壁部と背壁部と、前記前壁部または前記背壁部に設けられた折り込み部とから成り、前記折り込み部が少なくとも上方部には設けられていないことを特徴とするスタンド型表示体。
【請求項２】
前壁部とこの背面に両端部で取り付けられた背壁部と、この背壁部に設けられた折り込み部とから成り、この折り込み部が前記前壁部の少なくとも上方部には設けられていないことを特徴とするスタンド型表示体。
【請求項３】
両側部で繋げられた前壁部と背壁部と、この底部に前記前壁部と前記背壁部との間隔を広げるためのスペーサが装着されていることを特徴とするスタンド型表示体。
【請求項４】
前壁部とこの背面に両端部で取り付けられた背壁部と、この底部に前記前壁部と前記背壁部との間隔を広げるためのスペーサが装着されていることを特徴とするスタンド型表示体。
【請求項５】
前記折り込み部より上方の背壁部を前壁部に合わせた状態を取らせて成る、請求項１に記載のスタンド型表示体。
【請求項６】
前記スペーサより上方の背壁部に両側部にまたがる切り込み線が設けられており、この切り込み線より上方の背壁部を前壁部に合わせた状態を取らせて成る、請求項３に記載のスタンド型表示体。
【請求項７】
底部付近に支台が取り付けられている、請求項１〜請求項４の何れか１に記載のスタンド型表示体。
【請求項８】
底部付近におもりが取り付けられている、請求項１〜請求項４の何れか１に記載のスタンド型表示体。
【請求項９】
前記前壁部と前記背壁部とを合わせた状態で折り畳み可能とすべく前壁部と背壁部とに折り線が設けられている、請求項１〜請求項４の何れか１に記載のスタンド型表示体。
【請求項１０】
前記折り線の一部が切り込み線である、請求項１または請求項３に記載のスタンド型表示体。
【請求項１１】
前記折り線が複数個形成されており、その折り線の幅が折り畳む順に太く成るように設けられている、請求項１〜請求項４の何れか１に記載のスタンド型表示体。
【発明の詳細な説明】
【０００１】
【発明の属する技術分野】
この発明は自立可能なスタンド型表示体に係り、特に前面部が平面に近い形状を呈して広告等に最適と成るように構成されているものに関する。
【０００２】
【従来の技術】
紙製の円筒などでは両側から均一に圧力が加えられると平面状に潰れることが知られている。この加圧方向とは直角の両側部方向からの圧力によって元の円筒に近い形状に復元させることが出来る。この原理を応用して、前記平面状のものの上下端部を外側に突出する円弧状に成形し、この円弧状の突出片をやはり円弧状の折り線を付けるようにして内側へ折り込むことによって、円筒に近い形状のものを形成することが出来る。
【０００３】
このようにして形成される略円筒は、図面などの書類を丸めて入れる紙管などとして利用されている。
【０００４】
ところでこのような略円筒を立ててスタンド型表示体として利用しようと考えた時に問題となるのがその両端部の円弧部分であり、このままでは自立させることが出来ないため、この少なくとも下側と成る端部を略円筒に対して直角に切断したものとしなくてはならない。すると前記円弧状の突出片に代わって略円筒形状を保つものを端部にではなく中側に設ける必要がある。
【０００５】
ところでこのような略円筒を立ててスタンド型表示体として利用しようと考えた時に問題となるのがその両端部の円弧部分であり、このままでは自立させることが出来ないため、この少なくとも下側と成る端部を略円筒に対して直角に切断したものとしなくてはならない。すると前記円弧状の突出片に代わって略円筒形状を保つものを端部にではなく中側に設ける必要がある。
【０００６】
【発明が解決しようとする課題】
さてこのようにして形成されるスタンド型表示体であるが、小は商品の宣伝用スタンドから大は等身大あるいはそれ以上の大型の広告塔などへの用途がある。しかしながら上述したように略円筒形状を保つものを端部にではなく中側に設ける必要がある。しかしながら略円筒形状を保たせると言うことは宣伝広告にとってはマイナスである。即ち宣伝広告などの表示部が湾曲してしまうからである。この部位は出来るだけ平面状であることが好ましい。
【０００７】
従ってこの発明では、宣伝広告などの表示部を可能な限り平面状に設けることが出来るようなスタンド型表示体の提供を課題とする。
【０００８】
【課題を解決するための手段及び作用】
上記の課題は、両側部で繋げられた前壁部と背壁部と、前記前壁部または前記背壁部に設けられた折り込み部とから成り、前記折り込み部が少なくとも上方部には設けられていないことを特徴とするスタンド型表示体とすることにより達成される。前壁部と背壁部とが両側部で繋げられていると言う場合、前壁部と背壁部とが別体でありそれ等が重合されて両側部で接着や蝶番止めが為されているもの、２つ折りにより前壁部と背壁部とが形成され両端部が接着されているもの、円筒を平らに潰して両側の折り目から前壁部と背壁部とが形成されているもの等を上げることが出来る。前壁部や背壁部の素材は任意であり、紙、合成樹脂板、金属板、木板等を必要に応じて選択したり混用することが可能である。
【０００９】
前記折り込み部は、前壁部または背壁部に折り込み片が形作られるようにその周囲に切り込みを設けて成るものであり、こうして形成された折り込み片が相対する側の壁部を押すために、前壁部と背壁部との間隔がこの折り込み片の分だけ開いて結果的に膨らみ立体化して自立可能な状態と成る。この膨らみが円に近くなるほど剛性が大きくなる。なお前記折り込み部の折り目と成る部位をミシン目としと構成することが出来る。
【００１０】
一方、前記折り込み部が少なくとも上方部には設けられていないことにより、上方部に関しては前壁部と背壁部との間隔が開かず立体化されず、前壁部は比較的に平面状に近い状態を保つのである。従ってこの部位は宣伝広告を入れるのに適していると言うことが出来る。即ち立体化して自立可能且つ宣伝広告に向いたスタンド型表示体と成っている。
【００１１】
なお前記内側へ折り込まれた折り込み部を元の状態に引き戻すことによって、前記前壁部と前記背壁部とを合わせた平らな状態に戻すことが出来る。
【００１２】
また上記課題は、前壁部とこの背面に両端部で取り付けられた背壁部と、この背壁部に設けられた折り込み部とから成り、この折り込み部が前記前壁部の少なくとも上方部には設けられていないことを特徴とするスタンド型表示体とすることにより達成される。請求項１の構成では前壁部と背壁部とがその両側部で繋げられているが、請求項２の構成では背壁部は前壁部の背面に取り付けられている点に特徴を有する。背壁部の折り込み部が折り込まれると形成された折り込み片が前壁部を押すために、前壁部と背壁部との間隔がこの折り込み片の分だけ開いて結果的に膨らみ立体化して自立可能な状態と成る。しかも上方部にはこの折り込み部が設けられておらず前壁部だけと成っているため、前壁部は平面状に近い状態を保つため、ここは宣伝広告媒体として利用するのに適していることに成るのである。
【００１３】
また上記課題は、両側部で繋げられた前壁部と背壁部と、この底部に前記前壁部と前記背壁部との間隔を広げるためのスペーサが装着されていることを特徴とするスタンド型表示体とすることにより達成される。請求項１の構成と異なる点は折り込み部を設けておらず、その代わりに前壁部と背壁部との間を膨らませて立体化させるのにスペーサが用いられている点にある。このスペーサよりも上方部に関しては前壁部と背壁部との間隔が開かず立体化されず、前壁部は比較的に平面状に近い状態を保つことが出来る。
【００１４】
また上記課題は、前壁部とこの背面に両端部で取り付けられた背壁部と、この底部に前記前壁部と前記背壁部との間隔を広げるためのスペーサが装着されていることを特徴とするスタンド型表示体とすることにより達成される。請求項２の構成と同様に背壁部は前壁部の背面に取り付けられているが、折り込み部を設けておらず、前壁部と背壁部との間を膨らませて立体化させるのにスペーサが用いられている。而してこのスペーサよりも上方部に於いては前壁部は平面状に近い状態を取る。
【００１５】
次に請求項１のスタンド型表示体に於いて、前記折り込み部を形成するための切り込み溝が上方を向くように形成されており、この切り込み溝より上方の背壁部を前壁部に合わせた状態を取らせて成るものとすることが出来る。折り込み部は折り込み片が形作られるようにその周囲に切り込み溝を設けて成るものであって、折り込み片を折り込むとこの部位よりも上方に切り込み溝が位置することになるので、この切り込み溝を利用してそこより上方の背壁部を前壁部方向に押すことで背壁部を前壁部に合わせた状態にさせることが出来る。
【００１６】
次に請求項３のスタンド型表示体に於いて、前記スペーサより上方の背壁部に両側部にまたがる切り込み線が設けられており、この切り込み線より上方の背壁部を前壁部に合わせた状態を取らせて成るものとすることが出来る。切り込み線を利用すればそれより上方の背壁部を前壁部方向に押すことで背壁部を前壁部に合わせた状態を取らせることが可能である。
【００１７】
次に請求項１〜４の何れのスタンド型表示体に於ても、底部付近に支台が取り付けられているものとすることが出来る。この支台が設置姿勢を安定にする作用を有する。この支台には設置する床面に面で接触するものや突っ張りなどを上げることが出来る。
【００１８】
次に請求項１〜４の何れのスタンド型表示体に於いても、底部付近におもりが取り付けられているものとすることが出来る。おもりの作用によって設置の安定度を高めることが出来る。おもりとしては金属製重錘の他に両壁部間に填めることが出来るように形成された紙製の円筒や三角筒などの任意形状のものを上げることが出来る。
【００１９】
次に請求項１〜４の何れのスタンド型表示体に於ても、前記前壁部と前記背壁部とを合わせた状態で折り畳み可能とすべく前壁部と背壁部とに折り線が設けられているものとすることが出来る。前記内側へ折り込まれている折り込み部を元の状態に引き戻すことにより、前記前壁部と前記背壁部とを合わせた平らな状態にすることが出来る。更に前記折り線から折り返すことにより全体をコンパクトに折り畳んで運搬したり収納したりすることが出来るように成る。なお前記折り線即ち折り込み片は横向きだけでなく縦向きに形成することも可能である。
【００２０】
次に請求項１または請求項３のスタンド型表示体に於いて、前記折り線の一部が切り込み線であるものとすることが出来る。前壁部と背壁部とが両側部で繋げられたものを折り返そうとすると、前記折り線の部分が膨らんで全く平らな状態に折り畳むことが出来にくく成ることが分かる。そこで前記折り線の一部に切り込みを設けることによって、この膨らみを逃がすことが出来るのである。これは３つ折り以上に折り畳む場合にも有効である。
【００２１】
次に請求項１〜４の何れのスタンド型表示体に於ても、前記折り線が複数個形成されており、その折り線の幅が折り畳む順に太く成るように設けられているものとすることが出来る。折り畳みの回数が増えるに従って厚みが増すため、次の折り返し線を太く取ることによって綺麗に折り畳めるようにしようと言う工夫である。
【００２２】
【発明の実施の形態】
以下ではこの発明の幾つかの実施の形態に付いて図面を参照しながら説明するが、この発明はこれ等の実施の形態にのみ限定されるものではなく、この発明の思想の範囲内に於いて種々のバリエーションを与えることが出来る。
【００２３】
第１実施形態
１枚の厚紙を二つ折りにし、その一面を前壁部１とし他面を背壁部２として、前壁部１の端部に設けた接着片１０を折り返し、背壁部２の端部内側に接着して成る。また前記前壁部１の上縁部１１の方が背壁部２の上縁部２１よりも高くなるように構成されているが、この部位は前壁部１と背壁部２とが接着されておらず開放端とされている。また背壁部２の下方部には下側の折り込み部２２と両側及び上側の切り込み溝２３とから構成される折り込み片２４が設けられている。この折り込み片２４の先端部の中央部分に指が入る大きさの切欠部２５が設けられている。なお前記折り込み片２４の上方には面積の広い上方部２０が形成されている（図１）。
【００２４】
前記折り込み片２４を折り込み部２２から内側に折り込むようにすると、折り込み片２４の先端部が前壁部１の背面壁を押して、前壁部１と背壁部２との間を膨らませるように作用する（図２）。これによりこの実施形態のスタンド型表示体を自立させることが出来るのである。しかしながら前記折り込み片２４の上方即ち切り込み溝２３から前記上縁部２１に掛けての上方部２０では徐々に膨らみの度合が小さくなり前記上縁部２１に於いては殆どゼロに等しく成る。この傾向は相対する前壁部１でも生じておりこの部位は平面状に近いものと成っており、ここを宣伝広告などの好適な表示部として利用することが出来るのである。
【００２５】
なおこの実施形態では前記折り込み部２２の端部が背壁部２の両側部より内側に設けられている。これは内側へ折り込みやすくするための工夫であるが、この部位が背壁部２の両側部に至るように形成してよいことは言うまでもない。また折り込み片２４の先端部に切欠部２５が設けられていることにより、折り込み片２４と前壁部１の背面壁との間に指が入る隙間が出来、これによって折り畳みの作業が楽なものと成っている。なお前壁部１及び背壁部２の底部が下方に円弧状を呈する突出部とすることによって底部を床面に密着しやすくさせて設置姿勢を安定化させることが出来る。
【００２６】
第２実施形態
次にこの実施形態のスタンド型表示体が上述した第１実施形態のものと異なる点は、前壁部１及び背壁部２の頂部が接着部２６で接着されている点と、特には背壁部２の切り込み溝２３の真上の部位が前壁部１側に湾曲せられて前壁部１に沿わせられ合わせ部２７と成っている点にある。
【００２７】
上述した第１実施形態では折り込み片２４の先端部が前壁部１の背面壁を押して前壁部１と背壁部２との間を膨らませていた。これによって折り込み片２４の周辺部分が立体化していたが、それを敢えて背壁部２の切り込み溝２３の真上の部位を潰すことで合わせ部２７から前記上方部２０を前壁部１に接触させようと言うのである。これにより側面方向から見たデザインを変えることが出来るし、前壁部１の強度を高めることが出来るのである。
【００２８】
第３実施形態
さてこの発明のスタンド型表示体は、そのままでも自立させることが可能であるが、これを更に安定させたいとする要望もある。この実施形態と次の第４実施形態ではこの課題を解決する。
【００２９】
図４は両側部で繋げられた前壁部１と背壁部２とが脹らまされた状態を表わすが、この底部におもり３をはめ込んでいる点に特徴がある。このおもり３は長方形の厚紙を折り込んで３角柱状に成形したものであり、一定の重量がありおもりとしての役割を果たす。なおこのおもり３を前記折り込み片２４を設ける代わりのスペーサとして利用することが可能である。
【００３０】
第４実施形態
次にこの実施形態のスタンド型表示体では、前壁部１及び背壁部２の底部分に２条の差し込み溝２０６が形成されており、ここに平板の支台４から立設された２個の差し込み片４０を差し込み得るように構成されている。従ってスタンド型表示体は支台４に仮固定されるが、支台４は面積が広いためこのスタンド型表示体を安定的に支える作用がある。
【００３１】
第５実施形態
次に１枚の厚紙を二つ折りにし、その一面を前壁部１とし他面を背壁部２として、前壁部１の端部に設けた接着片１０を折り返し、背壁部２の端部内側に接着し、背壁部２の下方部に下側の折り込み部２２と両側及び上側の切り込み溝２３とから構成される折り込み片２４を設け、この折り込み片２４の先端部の中央部分に指が入る大きさの切欠部２５を設けて成る。なお前記折り込み片２４の上方には面積の広い上方部２０が形成されている。更に前壁部１と背壁部２とが潰れた平面状体の時に２つ折り可能と成るように中央部分には折り線５が設けられている（図６）。
【００３２】
前壁部１と背壁部２とが潰れた平面状体では、図７で示すように前記折り線５から２つ折りにすることが出来る。この状態から図６に示す立体構造に変化させるには、まず前記折り線５からの２つ折りを解いて細長い状態にして、次に前記折り込み片２４を折り込み部２２から内側に折り込むようにすると、折り込み片２４の先端部が前壁部１の背面壁を押して前壁部１と背壁部２との間を膨らませるように作用する。これによりこの実施形態のスタンド型表示体を自立させることが出来るのである。またこの状態から畳むには、先ほどと逆の手順でまず前記折り込み片２４を引き出し前壁部１と背壁部２との間を潰し平面状体とし、前記折り線５から２つ折りにすればよい。従って運搬や収納が単に前壁部１と背壁部２との間を潰しただけのものとは異なり容易である。
【００３３】
第６実施形態
さてこの発明のスタンド型表示体は、単純に前記折り込み片２４を設けただけであって、他に特別な部品を追加していないため、背丈を高くして行っても比較的安定して自立させることが出来る。しかしながら大きいだけあって折り畳みが難しくなる虞れがある。そこでこの実施形態ではこのような問題を解決する。
【００３４】
図８はこの実施形態の斜視図であるが、全体を折り線によって３分割して成るものであり最上段を除いた各コマに折り込み部を設けて成る。但し下段に関しては下側の折り込み部２８と両側及び上側の切り込み溝２９とから構成される折り込み片２０１を設け、中段に関しては前記折り込み片２０１よりも幅の狭い折り込み片２０５を設けるべく下側の折り込み部２０２と両側及び上側の切り込み溝２０３とを形成した。更に前記折り線としては、その幅が下から上に順次太くなるようにした折り線５０，５２が設けられている。そして前記折り線５０の両側部分に切り込み部５１が設けられ、また前記折り線５２の両側部分に切り込み部５３が設けられているようにした。
【００３５】
従ってこの実施形態のスタンド型表示体に於いては、潰れて平面状体と成っている状態で最下段のコマから順に折り畳んで行くようにする。折り畳みが進行するに連れて厚さが増して行くが、折り線５０より折り線５２の方がその幅が広く取られているために折り畳みによる厚さの増加分をここで吸収することが出来、結果的に綺麗に折り畳んだ状態とすることが可能である。なお前壁部１と背壁部２とが両側部で繋げられたものを折り返そうとすると、前記折り線５０，５２の部分が膨らんで、全く平らな状態に折り畳むことが出来にくく成る場合がある。これは前壁部１と背壁部２とが同一の大きさでその両側部で繋げられているからである。この問題を緩和するのがこの実施形態の切り込み線としての切り込み部５１，５３である。即ち前記折り線５０の両側部分に切り込み部５１を設けることにより、また前記折り線５２の両側部分に切り込み部５３を設けることによって、折り畳んだ時のテンションを逃がすことが出来るように成っている。
【００３６】
なおこの実施形態の切り込み溝２９，２０３には幅を設けており、その両端部は各々円形溝２００，２０４とされている。これは折り込み片２０１，２０５を内側へ折り込む際に作業を楽にする工夫である。前記切り込み溝２９，２０３の両縁部は互いに擦り合うようなことが起こらずフリーであるため、折り込みに力が要らず作業が楽なのである。また前記円形溝２９によれば、折り込み片２５がこの端部から裂けるようなことが起こりにくく成っている。
【００３７】
第７実施形態
図９でこの実施形態のスタンド型表示体を示すが、前壁部６の背面の下側には両端部の接着部７０で取り付けられた背壁部７が設けられている。この背壁部７には下側の折り込み部７１と両側および上側の切り込み溝７２とから構成される折り込み片７３が設けられている。この折り込み片７３の先端部の中央部分には指が入る大きさの切欠部７４が設けられている。
【００３８】
前記背壁部７の折り込み片７３を折り込み部７１から内側に折り込むようにすると、折り込み片７３の先端部が前壁部６の背面壁を押して、前壁部６と背壁部７との間を膨らませるように作用する。これによりこの実施形態のスタンド型表示体を自立させることが出来る。しかしながら前記背壁部７が設けられていない部位の前壁部６では、背壁部７から上方へ離れるに従って徐々に膨らみの度合が小さくなる。従って背壁部７のない上方部６０は略平面状を保つためここを宣伝広告などの好適な表示部として利用することが出来るのである。
【００３９】
第８実施形態
図１０でこの実施形態のスタンド型表示体を示すが、前壁部６の背面の下側には両端部の接着部７０で取り付けられた背壁部７が設けられている。この背壁部７と前壁部６との間に長方形の厚紙を折り込んで３角柱状に成形したスペーサ８を装着して成る。
【００４０】
前記スペーサ８は前壁部６と背壁部７との間を膨らませるように作用し、この実施形態のスタンド型表示体を自立させることが出来る。而して背壁部７のない上方部６０は略平面状を保つためここを宣伝広告などの好適な表示部として利用することが出来るのである。なおスペーサ８を重量のあるものとすれば、これをおもりとして活用することが出来る。同様にスペーサに図５の支台の構成を持たせることも可能である。
【００４１】
なおこの発明は上述の実施形態に限定されないから、例えば前記前壁部の頂部に具象体や抽象体の飾り部を延設することが出来る。また前記前壁部または前記背壁部にこの壁部が湾曲した時に壁部の一部を浮き出させるための切り込み部を設けることが可能である。更に前記上方部に平板を貼り付けるなどしてこの平面を宣伝に利用することが可能である。また全体のシルエットに付いて両側の線が垂直やこれまでとは逆傾斜と成るように成形することが出来る。あるいはこの線を直線状でなく曲線を用いて構成してよい。
【００４２】
【発明の効果】
以上この発明は、折り込み部によって膨らますことが可能な前壁部と背壁部とから成り、この前記折り込み部が少なくとも上方部には設けられていないことを特徴とするスタンド型表示体としたものである。前記上方部では前壁部は膨らむ度合が少なく略平面状を呈する。
【００４３】
この結果、宣伝広告などの表示部を可能な限り平面状に設けることが出来るようなスタンド型表示体を提供することに成功し、所期の目的を達成している。
【図面の簡単な説明】
【図１】第１実施形態の斜視図である。
【図２】同実施形態の模式図である。
【図３】第２実施形態の斜視図である。
【図４】第３実施形態の模式図である。
【図５】第４実施形態の部分背面図である。
【図６】第５実施形態の斜視図である。
【図７】同実施形態の使用状態説明図である。
【図８】第６実施形態の斜視図である。
【図９】第７実施形態の斜視図である。
【図１０】第８実施形態の斜視図である。
【符号の説明】
１    前壁部
１０  接着片
１１  上縁部
２    背壁部
２０  上方部
２１  上縁部
２２  折り込み部
２３  切り込み溝
２４  折り込み片
２５  切欠部
２６  接着部
２７  合わせ部
２８  折り込み部
２９  切り込み溝
２００円形溝
２０１折り込み片
２０２折り込み部
２０３切り込み溝
２０４円形溝
２０５折り込み片
２０６差し込み溝
３    おもり
４    支台
４０  差し込み片
５    折り線
５０  折り線
５１  切り込み部
５２  折り線
５３  切り込み部
６    前壁部
６０  上方部
７    背壁部
７０  接着部
７１  折り込み部
７２  切り込み溝
７３  折り込み片
７４  切欠部
８    スペーサ
【図１】
2004354955.tif 000003
【図２】
2004354955.tif 000004
【図３】
2004354955.tif 000005
【図４】
2004354955.tif 000006
【図５】
2004354955.tif 000007
【図６】
2004354955.tif 000008
【図７】
2004354955.tif 000009
【図８】
2004354955.tif 000010
【図９】
2004354955.tif 000011
【図１０】
2004354955.tif 000012